(57)【要約】【課題】排水口から排水栓を取り外した状態で鎖が浴槽等の掃除の邪魔となることがなく、浴槽の排水口に排水栓を装着した状態で鎖に足を引っ掛けても転倒することのないようにする。【解決手段】第１の端部２１に排水栓１を係止した鎖２の第２の端部２２を保持するアタッチメント３と、浴槽等の内壁面にネジ部４３を介して固定される取付具４と、を着脱自在に構成した。アタッチメント３は、装着部３１内に背面側から進入した取付具４の取付部４２に弾性的に係合することにより、取付具４に装着される。アタッチメント３に弾性力に抗する外力を作用させることにより、アタッチメント３が取付具４から離脱する。【選択図】図１
2014008356.tif 000002
【特許請求の範囲】
【請求項１】
浴槽等の排水口に着脱自在に装着される排水栓と、
第１の端部を前記排水栓の上面に係止した鎖と、
前記鎖の第２の端部を保持するアタッチメントと、
前記浴槽等の内壁面に固定され、前記アタッチメントを着脱自在に保持する保持部を有する取付具と、
を備え、
前記アタッチメントは、前記内壁面に直交する装着方向に沿って前記保持部に装着され、所定の大きさ以上の力が作用した際に前記保持部から離脱する排水栓装置。
【請求項２】
前記アタッチメントは、前記取付部に所定の押圧力によって装着される装着部と、前記装着方向に直交する方向について前記装着部から離間した位置で前記鎖の第２の端部を保持する保持部と、を有する請求項１に記載の排水栓装置。
【請求項３】
前記取付部は、前記取付具の前面側に突出した軸体であって軸方向の前端部及び中間部より外径の大きい嵌合部を有する軸体であり、
前記装着部は、前記アタッチメントの背面側に突出する筒状体であって前記軸体の嵌合部に対して半径方向に弾性的に嵌合する筒状体である請求項１又は２に記載の排水栓装置。
【発明の詳細な説明】
【技術分野】
【０００１】
この発明は、浴槽等の排水口を閉塞する排水栓を浴槽等の内壁面に鎖を介して保持する排水栓装置に関する。
【背景技術】
【０００２】
浴槽等の底部に配置された排水口には、排水栓装置を構成する排水栓が着脱自在に装着される。従来の排水栓装置は、排水栓、鎖、ヒートンからなる。ヒートンは、浴槽等の内壁面に取り付けられており、一端を排水栓の上面に係止した鎖の他端が係止される（例えば、特許文献１参照。）。
【０００３】
排水栓は、鎖を介してヒートンに保持されている。ヒートンの取付位置に対する排水栓の移動範囲が規定されるため、排水口から取り外された排水栓を紛失することがない。
【先行技術文献】
【特許文献】
【０００４】
【特許文献１】特開２００８−１４２１４４号公報
【発明の概要】
【発明が解決しようとする課題】
【０００５】
しかし、従来の排水栓装置では、排水栓を鎖とともに浴槽等から取り外せるようにしたものがなく、浴槽等の内壁面に固定されたヒートンに鎖を堅牢に保持させるようにしていた。このため、従来の排水栓装置では、浴槽等を掃除する際に排水口から取り外した排水栓を浴槽等の外側に位置させた状態でヒートンから延出した鎖が浴槽等の壁面の一部に接触し、作業の邪魔になる。また、浴槽の排水口に排水栓を装着した状態ではヒートンから延出した鎖が浴槽内に垂れ下がっており、浴槽から出る際に足を鎖に引っ掛けて転倒する可能性がある。
【０００６】
この発明の目的は、一端に排水栓を係止した鎖の他端を浴槽等の内壁面に着脱自在に保持できるようにし、排水口から排水栓を取り外した状態で鎖が浴槽等の掃除の邪魔となることがなく、浴槽の排水口に排水栓を装着した状態で鎖に足を引っ掛けても転倒することのない排水栓装置を提供することにある。
【課題を解決するための手段】
【０００７】
この発明に係る排水栓装置は、排水栓、鎖、アタッチメント、取付具を備えている。排水栓は、排水口に着脱自在に装着される。鎖は、第１の端部を排水栓の上面に係止している。アタッチメントは、鎖の第２の端部を保持する。取付具は、浴槽等の内壁面に固定され、アタッチメントを着脱自在に保持する保持部を有する。アタッチメントは、内壁面に直交する装着方向に沿って保持部に装着され、所定の大きさ以上の力が作用した際に保持部から離脱する。
【０００８】
この構成によれば、第１の端部に排水栓を係止した鎖の第２の端部を保持するアタッチメントは、内壁面に固定された取付具が有するに取付部に、内壁面に直交する装着方向に向かって装着され、所定の大きさ以上の力が作用すると取付部から離脱する。したがって、アタッチメントが取付部に装着された状態では、取付具の固定位置からの排水栓の移動範囲が鎖の長さに拘束され、排水栓が紛失することなく排水口に着脱自在にされる。取付部に装着されたアタッチメントに所定の大きさ以上の力が作用すると、アタッチメントが取付部から離脱し、排水栓がアタッチメント及び鎖とともに自由に移動できる状態になる。
【０００９】
この構成において、アタッチメントは、取付部に所定の押圧力によって装着される装着部と、装着方向に直交する方向について装着部から離間した位置で鎖の第２の端部を保持する保持部と、を有するものとすることが好ましい。取付部に装着した装着部には、保持部に作用する内壁面から離間する方向の力のモーメントが作用する。したがって、取付部に装着する際の押圧力よりも小さい力で、装着部を取付部から離脱させることができる。
【００１０】
また、取付部は、取付具の前面側に突出した軸体であって軸方向の前端部及び中間部より外径の大きい大径部を有する軸体とし、装着部は、背面側に突出する筒状体であって軸体の大径部に対して半径方向に弾性的に嵌合する筒状体とすることが好ましい。取付部及び装着部を簡単な形状に構成することができる。
【発明の効果】
【００１１】
この発明によれば、浴槽等から排水栓を鎖及びアタッチメントとともに取り外すことができ、排水栓の紛失を防止しつつ浴槽等の掃除等の作業を容易にすることができる。また、浴槽の排水口に排水栓を装着した状態で鎖に足を引っ掛けた際の転倒を防止できる。
【図面の簡単な説明】
【００１２】
【図１】この発明の第１の実施形態に係る排水栓装置の概略図である。
【図２】同排水栓装置の要部の断面図である。
【図３】この発明の第２の実施形態に係る排水栓装置の概略図である。
【発明を実施するための形態】
【００１３】
以下に、この発明の第１の実施形態に係る排水栓装置について、図面を参照しつつ説明する。
【００１４】
図１に示すように、配水栓装置１０は、排水栓１、鎖２、アタッチメント３、取付具４を備えている。排水栓１は、図示しない浴槽等の排水口に着脱自在に装着される。鎖２は、第１の端部２１を排水栓１の上面に露出した取付部材１１に嵌入されている。アタッチメント３は、アタッチメント本体３１と保持部３２とからなる。保持部３２は、鎖２の第２の端部２２を保持する。取付具４は、取付具本体４１、取付部４２、ネジ部４３からなる。取付具本体４１は、円盤状を呈し、前面側に取付部４２を突出させて備えており、背面側にネジ部４３を突出させて備えている。取付具４は、ネジ部４３を図示しない浴槽等の内壁面に形成された孔部に貫通させ、ネジ部４３に締結される図示しないナットを介して浴槽等の内壁面に固定される。
【００１５】
図２に示すように、保持部３２とともにアタッチメント３を構成するアタッチメント本体３１は、一例として、前面側の段ビス３１１と背面側の装着部３１２とからなる。段ビス３１１は、大径部３１１１、小径部３１１２、段部３１１３からなる。段部３１１３を装着部３１２の前面に形成された孔部３１２４に前面側から嵌入させた後、装着部３１２の背面側から段部３１１３の背面に開放した図示しない凹部にリベット３１１４を圧入することにより、段ビス３１１を装着部３１２に一体的に固定する。大径部３１１１と装着部３１２との間において、小径部３１１２に保持部３２の上部に形成された環状部３２１が外嵌することにより、保持部３２がアタッチメント本体３１に装着される。
【００１６】
装着部３１２は、一例として、金属薄板のプレス加工により成形されており、前面側に収納部３１２１、背面側に挿入部３１２２を備えている。収納部３１２１には、前面に前述の孔部２１２４が形成されている。挿入部３１２２は、背面側に開口３１２５を有し、収納部３１２１よりも大径に形成されている。挿入部３１２２には、内部にリングバネ３１２３が収納されている。リングバネ３１２３は、外径を挿入部３１２２の内径よりも小さくされており、内径を収納部３１２１の内径よりも小さくされている。リングバネ３１２３には、一部に切欠き３１２３Ａが形成されている。リングバネ３１２３は、切欠き３１２３Ａの範囲で半径方向に圧縮した状態で挿入部３１２２内に開口部３１２５から挿入される。
【００１７】
取付具４は、一例として、取付具本体４１、取付部４２、ネジ部４３を一体的に備えている。取付具本体４１は、アタッチメント３の挿入部３１２２よりも大径の円盤状を呈している。取付部４２は、取付具本体４１の前面から突出した軸体であり、前面側の嵌合部４２１と軸方向の中間部の凹部４２２とを備えている。嵌合部４２１の外径は、リングバネ３１２３の内径よりも大きく、アタッチメント３の収納部３１２１の内径に略等しい。凹部４２２の最小の外径は、リングバネ３１２３のよりも僅かに大きい。取付部４２の軸方向の長さは、アタッチメント３の装着部３１２の長さに略等しい。
【００１８】
浴槽等の内壁面に固定された取付具４に対して、アタッチメント３を浴槽等の内壁面に直交する矢印Ｘ方向（この発明の装着方向である。）に近づけていくと、嵌合部４２１が開口部３１２５から装着部３１２内に進入し、嵌合部４２１がリングバネ３１２３に当接する。この状態から、アタッチメント３を取付具４に向けて押圧すると、嵌合部４２１は、リングバネ３１２３を半径方向の外側に向けて拡大させた後、図２中二点鎖線で示すように挿入部３１２２内に収納される。このとき、凹部４２２の周面にリングバネ３１２３が圧接し、アタッチメント３が取付具４に固定される。
【００１９】
この状態で、例えば、鎖２を介して保持部３に矢印Ｙ方向の力が作用すると、嵌合部４２１の下側から上側に向かって順に挿入部３１２１から背面側に移動し、リングバネ３１２３を半径方向の外側に向けて拡大させつつ、開口部３１２５から装着部３１２の背面側に露出する。この結果、アタッチメント３が取付具４から離脱する。保持部３自体に矢印Ｘ′方向の力が作用した場合も同様である。
【００２０】
アタッチメント３を取付具４から離脱させる際には、保持部３に作用する矢印Ｙ方向又は矢印Ｘ′方向の力が、嵌合部４２１がリングバネ３１２３を拡大させるために十分な所定の大きさ以上である必要がある。但し、矢印Ｙ方向の力はアタッチメント３にモーメントとして作用するため、矢印Ｘ′方向の力よりも小さい矢印Ｙ方向の力でアタッチメント３を取付具４から離脱させることができる。
【００２１】
以上のように、排水栓装置１０によれば、アタッチメント３を取付具４に対して着脱自在にすることができる。このため、排水栓１の自由な移動を抑制して紛失を防止できるとともに、浴槽等の清掃時に排水栓１を鎖２及びアタッチメント３とともに浴槽等の外部に移動させることができる。これによって、鎖２が浴槽等の壁面に垂れ下がることがなく、清掃作業を容易に行うことができる。また、排水栓装置１０を浴槽に適用した場合、使用者が浴槽から出る際に鎖２に足を引っ掛けても、鎖２に作用する力によってアタッチメント３が取付具４から離脱し、使用者の転倒を防止できる。
【００２２】
図３に示すように、この発明の第２の実施形態に係る排水栓装置１１０は、図１及び２に示した排水栓装置１０の取付具４に代えて取付具４１０を備えており、その他の構成は排水栓装置１０と同様である。
【００２３】
取付具４１０は、例えば、樹脂成形により、取付具本体４１１及び取付部４１２を一体にして構成されている。取付部４１２は、円盤状の取付具本体４１１の前面の中央部から突出した円筒形状を呈している。取付部４１２は、取付部４２と同様の外形形状を呈している。取付部４１２の内部には、取付具本体４１１の背面に貫通する孔部が形成されており、この孔部に固定ネジ５のネジ部が前面側から貫通する。固定ネジ５のネジ部には、取付部本体４１１の背面側から図示しないウェルナットを装着する。
【００２４】
この構成により、排水栓装置１１０は、浴槽等の内壁面に固定されている既存のヒートンを取り外した後、取付具本体４１１の固定ネジ５のネジ部をヒートンが貫通していた浴槽等の内壁面の取付孔にウェルナットとともに貫通させ、固定ネジ５を締め込む。ウェルナットのゴム製筒体内に収納されたナットが前面側に移動することにより、取付具本体４１１が浴槽等の内壁面に固定される。これによって、ヒートンの破損等により、既存の排水栓装置に代えて排水栓装置１１０を容易に取り付けることができる。取付具本体４１１の背面に両面テープを貼付し、浴槽等の内壁面との密着性を高めることもできる。
【００２５】
なお、アタッチメント３の装着部３１の背面を磁力によって取付具４の取付部４２の前面に固定することによっても、同様の効果を得ることができる。
【００２６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【００２７】
１−排水栓
２−鎖
３−アタッチメント
４−取付具
３１−装着部
３２−保持部
４１−取付具本体
４２−取付部
３１１−段ビス
３１２−装着部本体
４２１−嵌合部
４２２−凹部
【図１】
2014008356.tif 000003
【図２】
2014008356.tif 000004
【図３】
2014008356.tif 000005